(57)【要約】【課題】電子シャッタにより制御されるカメラにおいても、ノイズ信号を取得可能なカメラを提供する。【解決手段】本発明のカメラ１は、被写体光が通過する開口部Ａと、該開口部Ａを通過した被写体光を被写体画像として撮像する撮像部５０と、前記開口部Ａを略閉塞する閉位置と前記被写体光の光路ＯＰから退避した開位置との間で移動可能に設けられたバリア部材７１と、を備え、前記撮像部５０において撮像された前記被写体画像からバックグラウンドノイズを除去するノイズ除去モードを選択可能なカメラ１であって、前記ノイズ除去モードが選択されている場合、前記撮像部５０において前記被写体画像が撮像された直後またはその直前に、前記バリア部材７１を前記閉位置に制御するバリア制御部８１と、前記バリア部材７１が前記閉位置に制御された後、前記バックグラウンドノイズの除去動作を行うノイズ制御部８２と、をさらに備えること、を特徴とする。【選択図】図４
2010041178.tif 000002
【特許請求の範囲】
【請求項１】
被写体光が通過する開口部と、
該開口部を通過した被写体光を被写体画像として撮像する撮像部と、
前記開口部を略閉塞する閉位置と前記被写体光の光路から退避した開位置との間で移動可能に設けられたバリア部材と、を備え、
前記撮像部において撮像された前記被写体画像からバックグラウンドノイズを除去するノイズ除去モードを選択可能なカメラであって、
前記ノイズ除去モードが選択されている場合、前記撮像部において前記被写体画像が撮像された直後またはその直前に、前記バリア部材を前記閉位置に制御するバリア制御部と、
前記バリア部材が前記閉位置に制御された後、前記バックグラウンドノイズの除去動作を行うノイズ制御部と、をさらに備えること、
を特徴とするカメラ。
【請求項２】
請求項１に記載のカメラにおいて、
前記バックグラウンドノイズの除去動作は、前記バリア制御部により前記バリア部材が前記閉位置に制御された後、前記撮像部において撮像することにより前記バックグラウンドノイズを取得し、該バックグラウンドノイズに対応するノイズ信号を前記被写体画像の画像信号から除去すること、
を特徴とするカメラ。
【請求項３】
請求項１または２に記載のカメラにおいて、
前記撮像部の被写体側に配置された透光部材と、
該透光部材に付着した塵埃を除去する塵埃除去部とを備え、
前記塵埃除去部は、前記バックグラウンドノイズの除去動作が行われている時に前記透光部材に付着した塵埃の除去動作を行うこと、
を特徴とするカメラ。
【請求項４】
請求項１から３までのいずれか１項に記載のカメラにおいて、
該カメラは、前記被写体画像を複数連続的に撮像する連写が可能であり、
前記ノイズ除去モードが選択され且つ前記連写が行われた場合、
前記バリア制御部は、前記連写の直後に、前記バリア部材を閉位置に制御し、
前記ノイズ制御部は、前記バリア部材が前記閉位置に制御された後、前記連写で得られた前記被写体画像のそれぞれからバックグラウンドノイズの除去動作を行うこと、
を特徴とするカメラ。
【請求項５】
請求項４に記載のカメラにおいて、
前記被写体画像のそれぞれに適用される前記バックグラウンドノイズは、前記バリア制御部が前記バリア部材を前記閉位置に制御した直後に撮影された基礎となる基礎バックグラウンドノイズを、それぞれの前記被写体画像像が撮影された際の状況に応じて補正した個別の補正バックグラウンドノイズであること、
を特徴とするカメラ。
【発明の詳細な説明】
【技術分野】
【０００１】
本発明は、撮像された被写体画像からバックグラウンドノイズの除去が可能なカメラに関するものである。
【背景技術】
【０００２】
従来、撮像された被写体画像からバックグラウンドノイズを除去することができるカメラがある。このようなカメラは、機械式シャッタを備え、その機械式シャッタを閉じた状態で撮像を行うことでバックグラウンドノイズを取得し、そのバックグラウンドノイズを被写体画像から除去している（例えば、特許文献１参照）。
【特許文献１】特開２００４−３４３５４７号公報
【発明の開示】
【発明が解決しようとする課題】
【０００３】
しかし、機械式シャッタを有しておらず、撮影時における撮像素子に対する被写体光の露光時間の調整を電子シャッタ制御で行うカメラは、シャッタを閉じてノイズ信号を取得することはできない。
【０００４】
本発明の課題は、電子シャッタにより制御されるカメラにおいても、ノイズ信号を取得可能なカメラを提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、被写体光が通過する開口部（Ａ）と、該開口部（Ａ）を通過した被写体光を被写体画像として撮像する撮像部（５０）と、前記開口部（Ａ）を略閉塞する閉位置と前記被写体光の光路（ＯＰ）から退避した開位置との間で移動可能に設けられたバリア部材（７１）と、を備え、前記撮像部（５０）において撮像された前記被写体画像からバックグラウンドノイズを除去するノイズ除去モードを選択可能なカメラ（１）であって、前記ノイズ除去モードが選択されている場合、前記撮像部（５０）において前記被写体画像が撮像された直後またはその直前に、前記バリア部材（７１）を前記閉位置に制御するバリア制御部（８１）と、前記バリア部材（７１）が前記閉位置に制御された後、前記バックグラウンドノイズの除去動作を行うノイズ制御部（８２）と、をさらに備えること、を特徴とするカメラ（１）である。
請求項２に記載の発明は、請求項１に記載のカメラ（１）において、前記バックグラウンドノイズの除去動作は、前記バリア制御部（８１）により前記バリア部材（７１）が前記閉位置に制御された後、前記撮像部（５０）において撮像することにより前記バックグラウンドノイズを取得し、該バックグラウンドノイズに対応するノイズ信号を前記被写体画像の画像信号から除去すること、を特徴とするカメラ（１）である。
請求項３に記載の発明は、請求項１または２に記載のカメラ（１）において、前記撮像部（５０）の被写体側に配置された透光部材（６１）と、該透光部材（６１）に付着した塵埃を除去する塵埃除去部（６０）とを備え、前記塵埃除去部（６０）は、前記バックグラウンドノイズの除去動作が行われている時に前記透光部材（６１）に付着した塵埃の除去動作を行うこと、を特徴とするカメラ（１）である。
請求項４に記載の発明は、請求項１から３までのいずれか１項に記載のカメラ（１）において、該カメラ（１）は、前記被写体画像を複数連続的に撮像する連写が可能であり、前記ノイズ除去モードが選択され且つ前記連写が行われた場合、前記バリア制御部（８１）は、前記連写の直後に、前記バリア部材（７１）を閉位置に制御し、前記ノイズ制御部（８２）は、前記バリア部材（７１）が前記閉位置に制御された後、前記連写で得られた前記被写体画像のそれぞれからバックグラウンドノイズの除去動作を行うこと、を特徴とするカメラ（１）である。
請求項５に記載の発明は、請求項４に記載のカメラ（１）において、前記被写体画像のそれぞれに適用される前記バックグラウンドノイズは、前記バリア制御部（８１）が前記バリア部材（７１）を前記閉位置に制御した直後に撮影された基礎となる基礎バックグラウンドノイズを、それぞれの前記被写体画像が撮影された際の状況に応じて補正した個別の補正バックグラウンドノイズであること、を特徴とするカメラ（１）である。
なお、符号を付して説明した構成は、適宜改良してもよく、また、少なくとも一部を他の構成物に代替してもよい。
【発明の効果】
【０００７】
本発明によれば、電子シャッタにより制御されるカメラにおいても、ノイズ信号を取得可能なカメラを提供することができる。
【発明を実施するための最良の形態】
【０００８】
以下、図面等を参照して、本発明を適用したカメラの実施形態について説明する。
図１は、実施形態のカメラの構造を示す断面図である。
この図１において、（ａ）、（ｂ）は、後述するバリア７１が閉位置にある状態、開位置にある状態をそれぞれ示している。
また、この図１において、（ａ）は、カメラ１に交換レンズ１００が装着される前の状態を示し、（ｂ）は、カメラ１に交換レンズ１００が装着された状態を示している。
図２は、図１に示すカメラの構造を示すブロック図である。
以下、図１を含む各図面には、理解を容易にするために適宜Ｘ−Ｙ−Ｚ軸からなる３次元座標系を設定して説明する。
【０００９】
カメラ１は、交換レンズ１００とともにレンズ交換式のデジタルカメラシステムＣを形成する。
交換レンズ１００は、被写体光を後述する撮像素子５１に導く撮影レンズＬ、カメラ１に備えられたボディ側マウント３０に接続されるレンズ側マウント１１０、カメラ１に備えられたボディ側電気接点４１に接触するレンズ側電気接点１２０、交換レンズ１００に備えられた各要素を統括的に制御するレンズ制御部１３０（図２参照）等を備えている。
【００１０】
撮影レンズＬは、図示しない複数のレンズ群を含んでおり、交換レンズ１００は、これらのレンズ群を光軸Ｏ方向に駆動する、例えば、電動モータＭ等のアクチュエータを備えている（図２参照）。交換レンズ１００は、これらのレンズ群を適宜光軸Ｏ方向に進退動作させることによって、撮影画角の変更を行い、又は、被写体に対してフォーカシング動作（ピント合わせ）を行う。
レンズ側マウント１１０は、交換レンズ１００の装着方向先端部に設けられており、レンズ側電気接点１２０は、レンズ側マウント１１０に備えられている。
なお、本実施形態のカメラ１に対しては、レンズ側マウント１１０と共通のマウントを備えた図示しない複数種類の交換レンズが用意されており、カメラ１には、図１に示す交換レンズ１００以外にも、これらの交換レンズを選択的に装着することができるようになっている。
なお、ボディ側マウント３０、レンズ側マウント１１０は、公知のバヨネット式マウント構造としているが、マウント構造はこれに限らず、他の公知の構造としてもよい。
【００１１】
次にカメラ１について説明する。
カメラ１は、筐体１０、表示装置２０、ボディ側マウント３０、電気接続部４０、撮像ユニット５０、ダスト除去装置６０、バリア装置７０、ボディ制御部８０等を備えている（ダスト除去装置６０、バリア装置７０、ボディ制御部８０は図２参照）。
筐体１０は、例えば、合成樹脂材料や金属材料によって形成された箱体である。筐体１０は、厚さ方向（Ｚ軸方向）寸法が幅方向（Ｘ軸方向）寸法、高さ方向（Ｙ軸方向）寸法よりもそれぞれ小さい略直方体に形成されている。
【００１２】
筐体１０の外観面には、例えば、レリーズボタン１１、図示しない電源スイッチ等の各種操作スイッチ等が設けられている。本実施形態のカメラ１は、撮像された被写体画像からバックグラウンドノイズを除去するノイズ除去モードを設定することができるようになっており、この各種操作スイッチには、ノイズ除去モードを選択するモード選択ボタンが含まれる。
【００１３】
レリーズボタン１１は、全押し操作と半押し操作との２段階操作が可能な押しボタンスイッチである。カメラ１は、例えば、レリーズボタン１１の全押し操作に応じて撮影動作を開始し、レリーズボタン１１の半押し操作に応じてオートフォーカス（ＡＦ）動作を開始する。
また、筐体１０の内部には、カメラ１に備えられた各電装部材に対して電力を供給する電池Ｂを収容する図示しない電池室、及び、画像データ等を記録するフラッシュメモリ等の記憶媒体を収容するスロット部が設けられている（電池室及びスロット部は図示を省略する）。電池Ｂ及びメモリＦは、カメラ１に着脱可能に装着される。
【００１４】
以下、実施形態のカメラ１において、筐体１０の厚さ方向（Ｚ軸方向）に直交する２つの面部をそれぞれ正面部及び背面部と称して説明する。また、本明細書において、図１に示すように、カメラ１の正面部及び背面部を鉛直面（Ｘ−Ｙ平面）に対して略平行にして横長の画像を撮影するときのカメラ１の姿勢を、カメラ１の通常位置と称して説明するものとする。カメラ１は、通常位置において背面部が撮影者に対向し、正面部が被写体側を向く。以下、本明細書において、カメラ１に含まれる各要素の配置に関する説明は、カメラ１の通常位置を基準として行うものとする。
【００１５】
表示装置２０は、筐体１０の背面部に表示画面が露出して設けられた、例えば、液晶パネル等を含んでいる。表示装置２０は、撮影済み画像や各種設定を行うメニュー画面を表示可能になっている。
また、本実施形態のカメラ１は、撮影時において、後述する撮像素子５１から出力される電気信号に基づいて生成されるスルー画像を、略リアルタイムで表示装置２０に表示するライブビュー機能を備えている。撮影者は、このスルー画像を確認しながらフレーミングを行うことができ、表示装置２０は、ファインダ装置としても機能する。
【００１６】
ボディ側マウント３０は、交換レンズ１００が着脱可能に接続される接続部であり、筐体１０の正面部に設けられている。
ボディ側マウント３０は、交換レンズ１００がカメラ１に装着された状態で、交換レンズ１００のレンズ側マウント１１０に設けられた爪部１１１に対して機械的に係合する爪部３１を備えている。
また、ボディ側マウント３０は、被写体光を通過させるための開口部Ａを規定する開口規定部３２を備えている。開口規定部３２は、筐体１０に対してネジＳ１によって固定され、爪部３１は、開口規定部３２に対してネジＳ２によって固定されている。
【００１７】
電気接続部４０は、交換レンズ１００のレンズ側電気接点１２０と協働してカメラ１と交換レンズ１００とを電気的に接続するものである。
カメラ１は、この電気接続部４０とレンズ側電気接点１２０とを介して交換レンズ１００に電力を供給する。また、後述するボディ制御部８０は、これらの電気接続部４０及びレンズ側電気接点１２０を介して交換レンズ１００に備えられたレンズ制御部１３０（図２参照）と電気信号の授受を行うようになっている。
【００１８】
電気接続部４０は、図１に示すように、交換レンズ１００の装着状態で前述した交換レンズ１００のレンズ側電気接点１２０に接触するボディ側電気接点４１と、このボディ側電気接点４１を支持する部材である接点支持部４２とを備えている。
ボディ側電気接点４１は、接点支持部４２に設けられたバネ４３によって光軸Ｏ方向の被写体側に付勢されたピン状の可動接点である。ボディ側電気接点４１は、交換レンズ１００の非装着状態では、接点支持部４２から光軸Ｏ方向の被写体側に突き出して設けられ（図１（ａ）参照）、交換レンズ１００が装着されると、交換レンズ１００に備えられたレンズ側電気接点１２０に押圧されることによって光軸Ｏ方向の撮影者側に移動して接点支持部４２に押し込まれる（図１（ｂ）参照）。
ボディ側電気接点４１は、複数個が設けられ（図３参照）、これらの複数個のボディ側電気接点４１は、開口部Ａの周縁部に沿って隣接して配置されている。
【００１９】
接点支持部４２は、ボディ側マウント３０の開口規定部３２に固定されており、開口部Ａの下方に配置されている。この接点支持部４２は、図１（ｂ）に示す交換レンズ１００がカメラ１に装着された状態において、レンズ側マウント１１０の爪部１１１よりも光軸Ｏ方向の撮影者側に配置されている。
また、図１に示すように、この接点支持部４２の配置位置（図１において符号Ｚ１を付す）は、後述するバリア７１の移動を規定する平面Ｐと光軸Ｏ方向において重なっている。
【００２０】
撮像ユニット５０は、交換レンズ１００を介して進行する被写体光が露光されると、この被写体光を電気信号に変換して出力する撮像素子５１と、この撮像素子５１の入射面に対向して配置された光学ローパスフィルタ５２（ＬＰＦ５２）とを備えている。ＬＰＦ５２は、撮像素子５１の結像面に結像される被写体像にモアレ等が発生することを防止するものである。
このカメラ１は、ボディ制御部８０が撮像素子５１の出力に基づいて撮影レンズＬを通過した被写体光の輝度（被写界の輝度）を測定（測光）し、この測光結果に基づいて自動露出制御（ＡＥ制御）を行うようになっており、撮像素子５１は、測光センサ（測光部）として機能する。
なお、本実施形態のカメラ１は、機械式のシャッタ装置を備えておらず、撮影時における撮像素子５１に対する被写体光の露光時間（撮像素子５１が被写体光を蓄積する時間）の調整は、後述するボディ制御部８０が撮像素子５１を電気的に制御（電子シャッタ制御）して行うようになっている。
【００２１】
ダスト除去装置６０は、筐体１０の内部にダストが侵入した場合や、筐体１０の内部に設けられた部材からダストが発生した場合に、このダストが撮影画像に写り込むことを防止するものである。ダスト除去装置６０は、撮像ユニット５０に備えられたＬＰＦ５２に対して光軸Ｏ方向の被写体側に配置されている。
ダスト除去装置６０は、図２に示すように、透光性を有する材料によって形成された振動フィルタ６１と、例えば、ピエゾ素子等の圧電素子を含み、この圧電素子によって振動フィルタ６１を振動させる振動発生装置６２とを備えている。ダスト除去装置６０は、例えば、振動フィルタ６１に付着したダストを、振動フィルタ６１を振動させることによって振るい落とし、このダストが撮影画像に写り込むことを防止する。
【００２２】
バリア装置７０は、前述したボディ側マウント３０に形成された開口部Ａを閉塞することによって、筐体１０の内部にダストが侵入することを防止するものである。また、バリア装置７０は、開口部Ａを閉塞することによって、外部光が筐体１０の内部に入射することを防止する遮光部材としても機能する。
バリア装置７０は、図１（ｂ）に示す交換レンズ１００がカメラ１に装着された状態において、レンズ側マウント１１０の爪部１１１よりも光軸Ｏ方向の撮影者側に配置されている。したがって、バリア７１は、交換レンズがカメラ１に装着された状態であっても、開位置と閉位置との間を移動できるようになっている。
【００２３】
図３は、図１に示すカメラに備えられたバリア装置の構成を示す斜視図である。
この図３において、（ａ）は、バリア７１が開口部Ａを略閉塞した閉位置にある状態を示し、（ｂ）は、バリア７１が被写体光の光路ＯＰから退避した開位置にある状態を示している。
図３に示すように、バリア装置７０は、バリア７１、バリア駆動部７２、開閉検出スイッチ７３（開位置検出スイッチ７３ａ、閉位置検出スイッチ７３ｂ）等を備えている（開閉検出スイッチ７３は図２参照）。
バリア７１は、円板状に形成されたバリア本体部７１ａと、このバリア本体部７１ａの外周縁部の一部からバリア本体部７１ａの外径側に突き出して設けられた腕部７１ｂとを備えている。
【００２４】
バリア本体部７１ａは、図１（ａ）及び図３（ａ）に示す閉位置にある場合、被写体光の光路ＯＰ上に配置され、撮影レンズＬを通過して撮像素子５１に向けて進行する被写体光を遮断する。これに対し、バリア本体部７１ａは、図１（ｂ）及び図３（ｂ）に示す開位置にある場合には、光路ＯＰから退避する。
このバリア７１は、開位置と閉位置との間を移動する際、光軸Ｏに略垂直な平面（図１において符号Ｐを付す）内で移動するようになっている。
【００２５】
バリア駆動部７２は、バリア７１を開位置と閉位置との間で移動させる部分であり、電動アクチュエータ７２ａと、この電動アクチュエータ７２ａの出力をバリア７１に伝達する減速ギア７２ｂとを備えている。バリア７１の腕部７１ｂの先端部には、減速ギア７２ｂに噛み合うギア７２ｃが形成されている。
開閉検出スイッチ７３は、バリア７１が開位置にあるか閉位置にあるかを検出するための検出装置であり、開位置検出スイッチ７３ａと閉位置検出スイッチ７３ｂとを備えている。これらのスイッチは、バリア７１が開位置及び閉位置のある状態で腕部７１ｂに形成された突起７１ｃにそれぞれ押圧され、ボディ制御部８０は、これによって、バリア７１が開位置にあるか閉位置にあるかを検出する。
【００２６】
ここで、カメラ１は、前述したように表示装置２０に表示されるスルー画像を用いてフレーミングを行うようになっているため、スクリーン（焦点板）やプリズム等によって構成される公知の光学式ファインダ装置や、この光学ファインダ装置に被写体光を導くためのミラーユニットを備えていない。
したがって、カメラ１は、バリア７１が閉位置にある場合、バリア本体部７１ａと振動フィルタ６１とが、他の部材を間に介さずに対向する（図１（ａ）参照）。このように、カメラ１は、バリア７１のバリア本体部７１ａとダスト除去装置６０の振動フィルタ６１との間に他の部材が配置されていないので、その厚さ方向（Ｚ軸方向）の寸法を小さくでき、小型化、薄型化を計ることができる。
【００２７】
ボディ制御部８０は、カメラ１に備えられた各要素を統括的に制御する部分であり、ＣＰＵ等の演算装置を備えている。
ボディ制御部８０は、バリア制御部８１、ノイズ制御部８２等を備えている。
【００２８】
バリア制御部８１は、条件に応じてバリア７１の開閉制御を行う部分である。また、バリア制御部８１は、バリア駆動部７２に備えられた電動アクチュエータ７２ａを制御して、バリア７１の移動速度を可変制御するようになっている。
バリア制御部８１が行うバリア７１の開閉制御及び速度制御については、後に詳しく説明する。
【００２９】
ノイズ制御部８２は、上述のモード選択ボタンによりノイズ除去モードが選択された場合に、撮像された被写体画像からバックグラウンドノイズを除去するノイズ除去動作を行う部分である。このノイズ除去動作については後に詳しく説明する。
【００３０】
次に、バリア制御部８１が行うバリア７１の開閉制御及び速度制御について説明する。
図４は、図２に示すカメラに備えられたバリア制御部８１が行うバリア７１の開閉制御を示すフローチャートである。
以下、ステップごとに説明する。
【００３１】
（ステップＳ０１：交換レンズ装着判定）
バリア制御部８１は、電気接続部４０を介して交換レンズ１００がカメラ１に装着されているか否かを判定する。バリア制御部８１は、交換レンズ１００が装着されていると判定した場合にはステップＳ０２に進む。これに対し、交換レンズ１００が装着されていないと判定した場合にはステップＳ２０に進む。
【００３２】
（ステップＳ０２：電源判定）
バリア制御部８１は、電源のオンオフ状態を判定し、電源がオン状態である場合には、ステップＳ０３に進む。これに対し、電源がオン状態ではないオフ状態の場合には、ステップＳ２０に進む。
【００３３】
（ステップＳ０３：バリア位置判定）
バリア制御部８１は、バリア７１が開位置にあるか、閉位置にあるかを判定する。バリア７１が開位置にある場合、ステップＳ０４に進む。一方、最初に電源をオンにした場合等は、バリア７１は閉じているため、バリア７１を閉位置に制御するためにバリア制御部８１は、ステップＳ１０に進む。
【００３４】
（ステップＳ１０：バリア開位置制御）
バリア制御部８１は、バリア７１が開位置にないと判定した場合（ステップＳ０３でＮｏ判定）した場合には、バリア７１を開位置に制御してステップＳ０４に進む。
【００３５】
（ステップＳ２０：バリア部材閉位置制御）
バリア制御部８１は、交換レンズ１００がカメラ１に装着されていないと判定（ステップＳ０１でＮｏ判定）した場合には、筐体１０の内部へダストが侵入することを防止するために、バリア７１を閉位置に駆動制御して処理を終了する。また、バリア制御部８１は、電源がオフ状態であることを検出した場合（ステップＳ０２でＮｏ判定）には、外部光を遮蔽するためにバリア７１を閉位置に駆動制御し、処理を終了する。
【００３６】
（ステップＳ０４：ノイズ除去モード判定）
バリア制御部８１は、モード選択ボタンの操作によりカメラ１が、ノイズ除去モードに設定されているか否の判定を行う。バリア制御部８１は、カメラ１がノイズ除去モードに設定されている場合には、ステップＳ１１に進み、カメラ１がノイズ除去モードに設定されていない場合には、ステップＳ０５に進む。
【００３７】
（ステップＳ０５：レリーズ操作検出）
バリア制御部８１は、カメラ１がノイズ除去モードに設定されていない場合、レリーズボタン１１のレリーズ操作を検出し、これらのレリーズ操作を検出した場合には、ステップＳ０６に進む。
【００３８】
（ステップＳ０６：撮影動作）
ボディ制御部８０は、上述のバリア７１の開制御とともに、ステップＳ０５において行われたレリーズ操作に応じた制御を行う。すなわち、ステップＳ０５においてレリーズボタン１１の全押し操作が行われた場合、ボディ制御部８０は、ＡＦ制御、ＡＥ制御を行うとともに、撮像素子５１を制御して、被写体を撮影する撮影動作を開始する。撮影動作によって得られた画像データは、メモリＦに記録される。
【００３９】
（ステップＳ１１：レリーズ操作検出）
バリア制御部８１は、カメラ１がノイズ除去モードに設定されている場合、レリーズ操作を検出し、これらのレリーズ操作を検出した場合には、ステップＳ１２に進む。
【００４０】
（ステップＳ１２：撮影動作）
ボディ制御部８０は、ステップＳ１１においてレリーズボタン１１の全押し操作が行われた場合、ＡＦ制御、ＡＥ制御を行うとともに、撮像素子５１を制御して、被写体を撮影する撮影動作を開始する。このとき、撮影動作によって得られた画像データは、メモリＦに記録され、メモリＦに記録された画像は、例えば表示装置２０に表示される。
【００４１】
（ステップＳ１３：バリア部材閉位置制御）
バリア制御部８１は、撮影動作が完了すると、外部光を遮蔽するためにバリア７１を閉位置に駆動制御する。
【００４２】
（ステップＳ１４：ノイズ除去動作）
ステップＳ１３でバリア７１が閉位置に駆動制御されるとノイズ制御部８２はノイズ除去動作を行う。ノイズ除去動作は、以下の手順で行われる。
ノイズ制御部８２は、ステップＳ１２で行われた被写体像の撮像と同じ時間、撮像素子５１を駆動し、電荷を蓄積させる。
この蓄積された電荷に基づくデータを、バックグラウンドノイズとしてメモリＦに記録する。
ステップＳ１２でメモリＦに記録された画像データを読み出し、メモリＦに記録したバックグラウンドノイズを減算する。
以上のノイズ除去動作を終了すると、ノイズ除去が行われた画像データは、先に表示装置２０に表示されているノイズ除去前の画像データに替わり、表示装置２０に表示される。
【００４３】
以上、説明した実施形態のカメラ１によれば、以下の効果を得ることができる。
（１）本実施形態のカメラ１は、機械式シャッタを備えていないが、バックグラウンドノイズを取得する際に、バリア７１が閉じる。そして、バリア７１が閉じた状態で撮像素子５１を駆動することにより、バックグラウンドノイズ信号を取得することができる。これにより、機械式シャッタを備えていない構造においてもバックグラウンドノイズ信号を含まない画像を取得することができる。
（２）カメラ１は、電源のオンオフ状態、交換レンズ１００の装着状態等に応じて、バリア制御部８１が自動的にバリア７１の開閉制御を行うので、使い勝手がよい。
（３）カメラ１は、交換レンズ１００が装着されていない場合には、バリア７１を閉位置に駆動するので、筐体１０の内部へのダストの侵入を防止できる。
（４）カメラ１は、電源のオンオフ状態を判定し、電源がオフの場合（撮影を行わない場合）には、バリアを閉位置に駆動するので、外部光が撮像素子５１に到達することによって撮像素子５１がダメージを受けることを防止できる。
【００４４】
［変形形態］
本発明は、以上説明した実施形態に限定されることなく、以下に示すような種々の変形や変更が可能であって、これらも本発明の技術的範囲内に含まれる。
【００４５】
（１）本実施形態では、ステップＳ１２において被写体像を単写する例に説明した。しかし、カメラ１は、被写体像を連写する場合にもノイズ除去可能を行うように構成してもよい。
この、連写においてノイズ除去を行う変形形態では、例えば、撮像素子５１に温度センサ(図示せず）が取り付けられている。また、撮像素子５１の温度が上昇するとバックグラウンドノイズも異なってくるため、この撮像素子の温度とバックグラウンドノイズとの関係を示す表や式などのデータがメモリＦに記憶されている。図４で示すステップＳ１２において連写撮影が行われる際に、個々の画像の取得に応じて、その画像取得時点での撮像素子の温度が温度センサによって測定される。取得画像とともに、その画像が取得された時点での温度情報もメモリＦに記録される。
最後の画像が取得された後、ステップＳ１３においてバリア７１が閉じられる。バリア７１が閉じられた後、ステップＳ１４のノイズ除去動作が行われる。ノイズ除去動作では、最後の画像が取得された後の温度が上昇した撮像素子５１におけるノイズ信号の取得が１回行われる。そして、メモリＦに記録された、撮像素子５１の温度とバックグラウンドノイズとの関係を示すデータに基づき、ノイズ制御部８２はそれぞれの画像が取得された時の温度に対応させてバックグラウンドノイズを補正する。連写された個々の画像から、撮影時の撮像素子５１の温度に応じて補正された補正後のバックグラウンドノイズが減算され、除去動作が完了する。
本変形形態によると、連写が行われた場合であっても、個々の連写画像においてバックグラウンドノイズが排除された画像を得ることができる。
【００４６】
（２）連写時において、それぞれの撮影におけるシャッタ速度が異なる場合は、バックグラウンドノイズを、そのシャッタ速度に対応するように補正することもできる。
【００４７】
（３）ノイズ制御部８２においてノイズ除去動作が行われている最中（具体的にはステップＳ１４の動作中）に、ダスト除去装置６０が振動フィルタ６１を振動させるようにしてもよい。このようにすることにより、ノイズ除去動作が行われている時間を有効に使用することができる。
【００４８】
（４）本実施形態のカメラは、電気接点を介して交換レンズの装着状態を検出したが、これに限らず、機械的なスイッチによって交換レンズの装着状態を検出してもよい。
【図面の簡単な説明】
【００４９】
【図１】実施形態のカメラの構造を示す断面図である。
【図２】図１に示すカメラの構造を示すブロック図である。
【図３】図１に示すカメラに備えられたバリア装置の構成を示す斜視図である。
【図４】図２に示すカメラに備えられたボディ制御部が行うバリアの開閉制御を示すフローチャートである。
【符号の説明】
【００５０】
１：カメラ，３０：接続部，５０：撮像部，６０：ダスト除去装置，６１：振動フィルタ，７０：バリア装置，７１：バリア，８０：ボディ制御部，８１：バリア制御部，８２：ノイズ制御部，１００：交換レンズ，Ａ：開口部，ＯＰ：光路
【図１】
2010041178.tif 000003
【図２】
2010041178.tif 000004
【図３】
2010041178.tif 000005
【図４】
2010041178.tif 000006